(57)【要約】【課題】迷光に起因する表示映像の劣化の抑制に適した映像信号処理装置及びこれを有する表示装置を提供することを目的とする。【解決手段】迷光が発生する表示装置に用いられる映像信号処理装置において、入力映像信号から表示画面に表示される迷光成分に対応する信号成分を減少させることによって得られた補正映像信号を、前記表示画面に供給すべき映像信号として出力する迷光補正部１１を備えている。各画素のＲ、Ｇ及びＢ信号値の、表示画面全体の平均値Ｒａ、Ｇａ、Ｂａを算出する。そして、平均値Ｒａ、Ｇａ及びＢａに基づいて、各色に対する迷光成分δＲ、δＧ及びδＢを求める。【選択図】図３
2007235194.tif 000002
【特許請求の範囲】
【請求項１】
迷光が発生する表示装置に用いられる映像信号処理装置において、
入力映像信号から表示画面に表示される迷光成分に対応する信号成分を減少させることによって得られた補正映像信号を、前記表示画面に供給すべき映像信号として出力する迷光補正部を備えた
ことを特徴とする映像信号処理装置。
【請求項２】
前記入力映像信号は、前記表示画面の各画素に対する入力Ｒ画素信号値、入力Ｇ画素信号値及び入力Ｂ画素信号値にて表され、
前記迷光補正部は、
前記表示画面の所定領域内の画素に対する前記入力Ｒ画素信号値、前記入力Ｇ画素信号値及び前記入力Ｂ画素信号値に基づいて、それぞれ、Ｒ信号補正値、Ｇ信号補正値及びＢ信号補正値を算出する信号補正値算出部と、
各入力Ｒ画素信号値から前記Ｒ信号補正値に応じた値を減少させ、且つ、各入力Ｇ画素信号値から前記Ｇ信号補正値に応じた値を減少させ、且つ、各入力Ｂ画素信号値から前記Ｂ信号補正値に応じた値を減少させることによって、前記補正映像信号を作成する補正映像信号作成部と、を備えた
ことを特徴とする請求項１に記載の映像信号処理装置。
【請求項３】
前記信号補正値算出部は、前記所定領域内の画素に対する前記入力Ｒ画素信号値の平均値、前記入力Ｇ画素信号値の平均値及び前記入力Ｂ画素信号値の平均値に基づいて、それぞれ、前記Ｒ信号補正値、前記Ｇ信号補正値及び前記Ｂ信号補正値を算出する
ことを特徴とする請求項２に記載の映像信号処理装置。
【請求項４】
前記入力映像信号は、前記表示画面の各画素に対する入力画素信号値にて表され、
前記迷光補正部は、
前記表示画面の所定領域内の画素に対する前記入力画素信号値に基づいて、信号補正値を算出する信号補正値算出部と、
各入力画素信号値から前記信号補正値に応じた値を減少させることによって、前記補正映像信号を作成する補正映像信号作成部と、を備えた
ことを特徴とする請求項１に記載の映像信号処理装置。
【請求項５】
前記信号補正値算出部は、前記所定領域内の画素に対する前記入力画素信号値の平均値に基づいて、前記信号補正値を算出する
ことを特徴とする請求項４に記載の映像信号処理装置。
【請求項６】
前記所定領域は、前記表示画面の全体領域である
ことを特徴とする請求項２〜５の何れかに記載の映像信号処理装置。
【請求項７】
映像を表示するための表示画面と、
請求項１〜請求項６の何れかに記載の映像信号処理装置と、を備えた
ことを特徴とする表示装置。
【発明の詳細な説明】
【技術分野】
【０００１】
本発明は、投射型の表示装置などの、迷光が発生する表示装置に用いられる映像信号処理装置に関する。また、本発明は、そのような映像信号処理装置を有する表示装置に関する。
【背景技術】
【０００２】
投射型の表示装置では、スクリーンなどにおける反射や散乱等により迷光が発生する。背面投射型の表示装置の概略構成図を示す図６を参照して、迷光の発生原因を説明する。
【０００３】
図６の表示装置は、与えられた映像信号に基づいて映像光を投射する投射部３と、投射部３からの映像光をスクリーン５に向けて反射する反射ミラー４と、投射部３からの映像光を反射ミラー４を介して受け、上記映像信号に応じた映像を表示するスクリーン５と、を備える。
【０００４】
図６において、矢印１１０、１１１及び１１２は、正規の反射によって進む映像光の光路を示している。一方、矢印１１３及び１１４は、或る迷光の光路を示している。この迷光は、反射ミラー４からの映像光がスクリーン５で反射されることによって生成される。そして、該迷光は、反射ミラー４を介してスクリーン５から出射される。
【０００５】
尚、コントラスト強調調整とバックライト輝度調整とを組み合わせることで、視覚的なコントラスト感を向上しようとする技術が下記特許文献１に開示されている。
【０００６】
また、下記特許文献２には、入力ビデオ信号の黒側成分を検出し、それを該入力ビデオ信号に加算するという技術が開示されている。
【０００７】
【特許文献１】特開２００１−２７８９０号公報
【特許文献２】特開平７−２１２６７１号公報
【発明の開示】
【発明が解決しようとする課題】
【０００８】
上記のように発生する迷光により、映像の黒い部分が厳密な黒でなくなる所謂黒浮き現象が生じる。また、迷光の発生度合いは、赤、緑、青で互いに異なるため表示映像の色相が迷光によって変化してしまうという問題もある。
【０００９】
尚、上記特許文献１の技術を用いると、コントラスト強調により暗い部分の映像がより暗くなる。しかしながら、上記の不要な反射等によって、スクリーンから出射される光に全体として迷光成分がのるため、結局、黒が浮いてしまう。そのような黒浮きを抑制するためにバックライト輝度調整を行おうとしても、コントラスト強調調整とバックライト輝度調整とを連動させた制御は容易ではなく、適切な制御は実現し難い。
【００１０】
また、上記特許文献２の技術では、黒浮き現象を抑制することはできない（或いは、その抑制度合いは十分ではない）。
【００１１】
また、上記特許文献１及び２の技術では、迷光に起因する色相変化に対応することができない。
【００１２】
迷光に起因する表示映像の劣化の問題を、背面投射型の表示装置を例に挙げて説明したが、迷光が発生する他の表示装置においても同様の問題が生じる。
【００１３】
そこで本発明は、迷光に起因する表示映像の劣化の抑制に適した映像信号処理装置及びこれを有する表示装置を提供することを目的とする。
【課題を解決するための手段】
【００１４】
上記の目的を実現するために本発明に係る映像信号処理装置は、迷光が発生する表示装置に用いられる映像信号処理装置において、入力映像信号から表示画面に表示される迷光成分に対応する信号成分を減少させることによって得られた補正映像信号を、前記表示画面に供給すべき映像信号として出力する迷光補正部を備えたことを特徴とする。
【００１５】
これにより、迷光に起因する表示映像の劣化（黒浮き等）の抑制を期待できる。
【００１６】
具体的には例えば、前記入力映像信号は、前記表示画面の各画素に対する入力Ｒ画素信号値、入力Ｇ画素信号値及び入力Ｂ画素信号値にて表され、前記迷光補正部は、前記表示画面の所定領域内の画素に対する前記入力Ｒ画素信号値、前記入力Ｇ画素信号値及び前記入力Ｂ画素信号値に基づいて、それぞれ、Ｒ信号補正値、Ｇ信号補正値及びＢ信号補正値を算出する信号補正値算出部と、各入力Ｒ画素信号値から前記Ｒ信号補正値に応じた値を減少させ、且つ、各入力Ｇ画素信号値から前記Ｇ信号補正値に応じた値を減少させ、且つ、各入力Ｂ画素信号値から前記Ｂ信号補正値に応じた値を減少させることによって、前記補正映像信号を作成する補正映像信号作成部と、を備える。
【００１７】
これにより、迷光に起因する黒浮きの抑制効果だけでなく、迷光に起因する色相変化の抑制効果も期待できる。
【００１８】
更に具体的には例えば、前記信号補正値算出部は、前記所定領域内の画素に対する前記入力Ｒ画素信号値の平均値、前記入力Ｇ画素信号値の平均値及び前記入力Ｂ画素信号値の平均値に基づいて、それぞれ、前記Ｒ信号補正値、前記Ｇ信号補正値及び前記Ｂ信号補正値を算出する。
【００１９】
また例えば、前記入力映像信号は、前記表示画面の各画素に対する入力画素信号値にて表され、前記迷光補正部は、前記表示画面の所定領域内の画素に対する前記入力画素信号値に基づいて、信号補正値を算出する信号補正値算出部と、各入力画素信号値から前記信号補正値に応じた値を減少させることによって、前記補正映像信号を作成する補正映像信号作成部と、を備える。
【００２０】
そして例えば、前記信号補正値算出部は、前記所定領域内の画素に対する前記入力画素信号値の平均値に基づいて、前記信号補正値を算出する。
【００２１】
また例えば、前記所定領域は、前記表示画面の全体領域である。
【００２２】
また、上記目的を実現するために本発明に係る表示装置は、映像を表示するための表示画面と、上記の何れかに記載の映像信号処理装置を備えたことを特徴とする。
【発明の効果】
【００２３】
上述した通り、本発明に係る映像信号処理装置によれば、迷光に起因する表示映像の劣化の抑制を期待できる。
【発明を実施するための最良の形態】
【００２４】
以下、本発明の実施の形態につき、図面を参照して具体的に説明する。図１は、本発明の実施の形態に係る表示装置１の概略構成図である。表示装置１は、カラー映像を表示可能な背面投射型の表示装置である。
【００２５】
表示装置１は、映像信号処理部２と、投射部３と、反射ミラー４と、表示画面としてのスクリーン５と、を有して構成される。投射部３と、反射ミラー４と、スクリーン５は、光学系を形成する。
【００２６】
映像信号処理部２は、放送信号受信機や記録媒体等の映像信号源（不図示）からの映像信号を受け、該映像信号に適切な処理を施す。そして、この処理後の映像信号を投射部３に供給する。映像信号処理部２は、例えば、半導体集積回路によって構成される。
【００２７】
図２に示す如く、映像信号処理部２は、映像信号を補正することによってスクリーン５にあらわれる迷光成分を除去するための迷光補正部１１を備えている。上記映像信号源から与えられた映像信号に基づいて生成された、迷光補正部１１に対する入力映像信号は、迷光補正部１１によって補正される。この補正によって得られた補正映像信号は、スクリーン５に表示されるべき映像を表す映像信号として投射部３に供給される。迷光補正部１１の詳細な動作については後述する。
【００２８】
投射部３は、光源６と、ライトバルブ７と、投射レンズ８と、を有して構成される。光源６、ライトバルブ７、投射レンズ８の順に配置され、投射レンズ８が反射ミラー４側に配置される。
【００２９】
光源６は、ランプやＬＥＤ（Light Emitting Diode）等によって構成され、ライトバルブ７に対して光を出射する。光源６からの光は、コンデンサレンズ（不図示）で集光された後、ライトバルブ７に照射される。
【００３０】
ライトバルブ７は、例えば液晶パネルから成り、映像信号処理部２から供給される補正映像信号に基づいて光源６からの光を変調することにより、上記補正映像信号を表す映像（画像）を形成する。
【００３１】
ライトバルブ７は、例えば３枚の液晶パネルから構成される（図１では１枚のみ図示）。この場合、例えば、光源６からの光は、赤、緑及び青の３色に分光され、分光によって得られた赤、緑及び青の光は、それぞれ、赤、緑及び青に対応する液晶パネルを介して投射レンズ８に入射する。尚、カラーフィルタ等を利用して、ライトバルブ７を、１枚の液晶パネルにて構成するようにしても構わない。また、ＤＭＤ(デジタル・マイクロミラー・デバイス)等、液晶パネル以外の構成要素を用いてライトバルブ７を形成しても構わない。
【００３２】
投射レンズ８は、ライトバルブ７を通過した光、即ち、上記補正映像信号に対応した映像を表す映像光を、所定の倍率で拡大ししつ、反射ミラー４に投射する。
【００３３】
反射ミラー４は、投射レンズ８から投射された映像光を、スクリーン５の裏面に向けて反射するためのものであり、スクリーン５に対して所定の傾きをもって配置される。
【００３４】
スクリーン５は、ガラス、樹脂等を用いて形成された透明板または拡散板にて構成される。スクリーン５は、投射レンズ８から反射ミラー４を介して投影された映像を、ユーザが視認することできるように反射ミラー４の反対側に表示する。
【００３５】
図３に、迷光補正部１１の内部ブロック図を示す。図４に、スクリーン５の画素構成を示す。スクリーン５は、画素Ｐ1、Ｐ2、Ｐ3、・・・、ＰN-1及びＰNの合計Ｎ個の画素をマトリクス状に配列して構成される。Ｎは、２以上の整数であり、例えば、数万〜数１００万程度である。
【００３６】
迷光補正部１１への入力映像信号は、各画素に対するＲＧＢ信号によって形成される。具体的には、迷光補正部１１への入力映像信号は、
画素Ｐ1に対する入力Ｒ画素信号値Ｒｉｎ［１］、入力Ｇ画素信号値Ｇｉｎ［１］及び入力Ｂ画素信号値Ｂｉｎ［１］と、
画素Ｐ2に対する入力Ｒ画素信号値Ｒｉｎ［２］、入力Ｇ画素信号値Ｇｉｎ［２］及び入力Ｂ画素信号値Ｂｉｎ［２］と、
画素Ｐ3に対する入力Ｒ画素信号値Ｒｉｎ［３］、入力Ｇ画素信号値Ｇｉｎ［３］及び入力Ｂ画素信号値Ｂｉｎ［３］と、・・・、
画素ＰN-1に対する入力Ｒ画素信号値Ｒｉｎ［Ｎ−１］、入力Ｇ画素信号値Ｇｉｎ［Ｎ−１］及び入力Ｂ画素信号値Ｂｉｎ［Ｎ−１］と、
画素ＰNに対する入力Ｒ画素信号値Ｒｉｎ［Ｎ］、入力Ｇ画素信号値Ｇｉｎ［Ｎ］及び入力Ｂ画素信号値Ｂｉｎ［Ｎ］と、から構成される。
【００３７】
以下、入力Ｒ画素信号値Ｒｉｎ［ｍ］、入力Ｇ画素信号値Ｇｉｎ［ｍ］及び入力Ｂ画素信号値Ｂｉｎ［ｍ］を、それぞれ、入力値Ｒｉｎ［ｍ］（或いは単に、Ｒｉｎ［ｍ］）、入力値Ｇｉｎ［ｍ］（或いは単に、Ｇｉｎ［ｍ］）及び入力値Ｂｉｎ［ｍ］（或いは単に、Ｂｉｎ［ｍ］）と略記する。ここで、ｍは整数であって、１≦ｍ≦Ｎ、を満たす。
【００３８】
尚、入力値Ｒｉｎ［ｍ］、Ｇｉｎ［ｍ］及びＢｉｎ［ｍ］は、それぞれ、８ビットのデジタル値にて構成され、０〜２５５の値をとる。尚、それらを１０ビットやそれ以外のビット数のデジタル値にて構成しても構わない。
【００３９】
図３に示す如く、迷光補正部１１は、信号補正値算出部２１Ｒ及び減算器２４Ｒから成るＲ信号用の補正部と、信号補正値算出部２１Ｇ及び減算器２４Ｇから成るＧ信号用の補正部と、信号補正値算出部２１Ｂ及び減算器２４Ｂから成るＢ信号用の補正部と、を備えている。
【００４０】
信号補正値算出部２１Ｒは、平均信号値算出部２２Ｒ及び補正値出力部２３Ｒを備え、Ｒ信号用の信号補正値δＲ（以下、補正値δＲまたはδＲと略記する）を算出する。
信号補正値算出部２１Ｇは、平均信号値算出部２２Ｇ及び補正値出力部２３Ｇを備え、Ｇ信号用の信号補正値δＧ（以下、補正値δＧまたはδＧと略記する）を算出する。
信号補正値算出部２１Ｂは、平均信号値算出部２２Ｂ及び補正値出力部２３Ｂを備え、Ｂ信号用の信号補正値δＢ（以下、補正値δＢまたはδＢと略記する）を算出する。
【００４１】
減算器２４Ｒは、入力値Ｒｉｎ［ｍ］から補正値δＲを減算し、その減算によって得られた値（Ｒｉｎ［ｍ］−δＲ）を、出力値（出力Ｒ画素信号値）Ｒｏｕｔ［ｍ］として出力する。
減算器２４Ｇは、入力値Ｇｉｎ［ｍ］から補正値δＧを減算し、その減算によって得られた値（Ｇｉｎ［ｍ］−δＧ）を、出力値（出力Ｇ画素信号値）Ｇｏｕｔ［ｍ］として出力する。
減算器２４Ｂは、入力値Ｂｉｎ［ｍ］から補正値δＢを減算し、その減算によって得られた値（Ｂｉｎ［ｍ］−δＢ）を、出力値（出力Ｂ画素信号値）Ｂｏｕｔ［ｍ］として出力する。
【００４２】
このように、Ｒ信号用の補正部、Ｇ信号用の補正部及びＢ信号用の補正部は、それぞれ、Ｒｉｎ［ｍ］、Ｇｉｎ［ｍ］及びＢｉｎ［ｍ］を、迷光を考慮して補正し、補正後の信号値として、Ｒｏｕｔ［ｍ］、Ｇｏｕｔ［ｍ］及びＢｏｕｔ［ｍ］を算出する。例えば、Ｒｉｎ［１］、Ｇｉｎ［１］及びＢｉｎ［１］を補正した信号値として、それぞれ、Ｒｏｕｔ［１］、Ｇｏｕｔ［１］及びＢｏｕｔ［１］が算出され、Ｒｉｎ［２］、Ｇｉｎ［２］及びＢｉｎ［２］を補正した信号値として、それぞれ、Ｒｏｕｔ［２］、Ｇｏｕｔ［２］及びＢｏｕｔ［２］が算出される。
【００４３】
全画素に対するＲｏｕｔ［ｍ］、Ｇｏｕｔ［ｍ］及びＢｏｕｔ［ｍ］から成るＲＧＢ信号は、上記補正映像信号として、投射部３に供給され、その補正映像信号に応じた映像光が投射部３から投射される。
【００４４】
また、Ｒｏｕｔ［ｍ］の値が増加すれば増加するほど、画素Ｐmに表示される赤（Ｒ）の光量（光の強度）が増加し、Ｇｏｕｔ［ｍ］の値が増加すれば増加するほど、画素Ｐmに表示される緑（Ｇ）の光量が増加し、Ｂｏｕｔ［ｍ］の値が増加すれば増加するほど、画素Ｐmに表示される青（Ｂ）の光量が増加するものとする。
【００４５】
スクリーン５に実際に表示される映像は、投射レンズ８から投射された上記補正映像信号に対応する映像光成分と、迷光成分と、によって形成される。該迷光成分は、上述したように、反射ミラー４とスクリーン５との間の光の不要な反射や散乱等によって発生する。仮に、Ｒｉｎ［ｍ］をそのまま投射部３に供給したならば、画素Ｐmに表示される赤の光量は、迷光により、Ｒｉｎ［ｍ］に相当する光量よりも大きくなってしまう。
【００４６】
スクリーン５の画面全体に表示される映像が明るい場合は、投射レンズ８から投射される光量（光の強度）は大きく、これに伴って迷光の光量（光の強度）も大きくなる。逆に、スクリーン５の画面全体に表示される映像が暗い場合は、投射レンズ８から投射される光量は小さく、これに伴って迷光の光量も小さくなる。このため、発生する迷光の光量は、スクリーン５の画面全体の信号の平均値に比例して大きくなるとみなすことができる。
【００４７】
他方、迷光の発生度合いは、Ｒ、Ｇ、Ｂで互いに異なる。
【００４８】
迷光補正部１１は、これらを考慮して、Ｒ、Ｇ及びＢの各色に対する迷光成分を見積り、Ｒｉｎ［ｍ］、Ｇｉｎ［ｍ］及びＢｉｎ［ｍ］から、それぞれ、見積もった迷光成分としての補正値δＲ、δＧ及びδＢを差し引くことによって、上記補正映像信号を作成する。
【００４９】
この手法について、Ｒ信号に着目して具体的に説明する。平均信号値算出部２２Ｒは、入力値Ｒｉｎ［ｍ］の画面全体の平均信号値Ｒａを、下記式（１）に基づいて算出する。即ち、Ｒａは、（Ｒｉｎ［１］＋Ｒｉｎ［２］＋・・・＋Ｒｉｎ［Ｎ］）をＮで割った数とされる。
【００５０】
【数１】
2007235194.tif 000003
【００５１】
減算器２４Ｒは、各入力値Ｒｉｎ［ｍ］からδＲを差し引いて各出力値Ｒｏｕｔ［ｍ］を算出するのであるから、画面全体で考えた場合、投射部３からは、（Ｒａ−δＲ）に対応する光量を有する赤の映像光が出射されることになる。
【００５２】
赤の映像光に対して発生する迷光の光量は、この（Ｒａ−δＲ）に比例すると考えることができる。つまり、赤の映像光に対して発生する迷光は、α（Ｒａ−δＲ）と見積もることができる。ここで、αは、表示装置１の光学系に依存して事前に決定される係数である。
【００５３】
従って、出力値Ｒｏｕｔ［ｍ］（＝Ｒｉｎ［ｍ］−δＲ）に迷光成分“α（Ｒａ−δＲ）”を加えたものが、入力値Ｒｉｎ［ｍ］と等しくなるように、δＲを算出してやればよい。この考えに基づき、補正値出力部２３Ｒは、平均信号値算出部２２Ｒが算出した平均信号値Ｒａを参照して、下記式（２）を成立させるような補正値δＲを算出する。
Ｒｉｎ［ｍ］−δＲ＋α（Ｒａ−δＲ）＝Ｒｉｎ［ｍ］  ・・・（２）
【００５４】
式（２）をδＲについて解くことによって下記式（３）が得られるため、補正値出力部２３Ｒは、下記式（３）に基づいて補正値δＲを算出することになる。
δＲ＝｛α／（α＋１）｝Ｒａ                        ・・・（３）
【００５５】
具体的な数値例を挙げる。全てのＲｉｎ［ｍ］が一様に「１０」の値を持っていた場合を考える。この場合、平均信号値Ｒａは、「１０」となる。そして、α＝０．１と仮定する。
【００５６】
仮に迷光補正を行わなかった場合、スクリーン５における出力信号レベル（スクリーン５から出力される赤の光量）は、Ｒｉｎ［ｍ］＋α・Ｒａ＝１１、となり、入力信号値に対して出力信号レベルが上がってしまう。この結果、スクリーン５に表示される映像がぼやけた感じになってしまう（所謂黒浮きの現象も生じ得る）。
【００５７】
一方、本実施形態のように迷光補正を施すと、「δＲ＝｛０．１／（０．１＋１）｝×１０≒０．９１」より、スクリーン５における出力信号レベル（スクリーン５から出力される赤の光量）は、「１０−０．９１＋０．１（１０−０．９１）≒１０」となる（上記式（２）及び（３）参照）。つまり、最終的にスクリーン５に表示される出力信号レベルは、元の入力信号レベルと同じとなる。
【００５８】
Ｇ信号及びＢ信号についても、Ｒ信号と同様に処理される。つまり、平均信号値算出部２２Ｇ及び２２Ｂは、それぞれ、入力値Ｇｉｎ［ｍ］の画面全体の平均信号値Ｇａ及び入力値Ｂｉｎ［ｍ］の画面全体の平均信号値Ｂａを、下記式（４）及び（５）に基づいて算出する。
【００５９】
【数２】
2007235194.tif 000004
【００６０】
【数３】
2007235194.tif 000005
【００６１】
そして、補正値出力部２３Ｇ及び２３Ｂは、それぞれ、平均信号値算出部２２Ｇ及び２２Ｂが算出した平均信号値Ｇａ及びＢａを参照しつつ、下記式（６）及び（７）に基づいて、補正値δＧ及びδＢを算出する。
δＧ＝｛β／（β＋１）｝Ｇａ                        ・・・（６）
δＢ＝｛γ／（γ＋１）｝Ｂａ                        ・・・（７）
【００６２】
ここで、β及びγも、αと同じく、表示装置１の光学系に依存して事前に決定される係数である。
【００６３】
上述のように、信号の入力値から迷光成分を差し引いて補正し、補正された信号値に基づいてスクリーン５に投射する映像を生成することで、本来表示させたかった映像を正しくスクリーン５に表示させることできる。この結果、所謂黒浮きの問題を解消するがことができる。更に、Ｒ、Ｇ及びＢ信号の夫々に対して、固有の値（αやＲａ等）を用いた個別の迷光補正を行うことにより、迷光に起因する表示映像の色相の変化（ＲＧＢの構成比の変化）をも抑制することが可能となる。
【００６４】
このように、映像信号処理部２を用いれば、新たな部材を追加することなく、迷光に起因する映像劣化が抑制され、正確で引き締まった映像を表示することが可能となる。
【００６５】
［値α、β、γについて］
上記の係数α、β及びγの設定法について説明する。以下、Ｒ信号用の係数αの設定法に着目して説明を行う。係数β及びγについても同様に設定される。
【００６６】
係数αを設定する際には、減算器２４Ｒの機能を停止した上で（或いは、暫定的にδＲをゼロとした上で）、入力映像として赤一色の映像を映像信号処理部２に与える。これにより、全ての画素Ｐ1〜ＰNに対する入力値Ｒｉｎ［ｍ］及び出力値Ｒｏｕｔ［ｍ］は、同一の値ｋとなる（ｋは、１〜２５５の任意の整数）。
【００６７】
この状態で、スクリーン５の表示映像の照度（上記光量と等価）を照度計などの計測機器（不図示）を用いて測定する。そして、実際に測定された照度（例えば１１）と、迷光が生じていない場合に期待される照度（例えば１０）と、を用いて係数α（例えば０．１）を決定する。
【００６８】
係数αは、例えば定数である。但し、必要であれば、係数αをＲａの関数として定めておいてもよい。平均信号値Ｒａの変化に応じて、採用されるべきαの値が変化することも考えられるからである。
【００６９】
係数αの値を特定するためのデータは、表示装置１内に設けられたメモリ（不図示）に事前に格納され、そのデータは、補正値出力部２３Ｒによって参照される。係数αをＲａの関数として定めておく場合は、Ｒａに応じて逐次αを算出するようにしても構わないし、Ｒａに応じたαの値を格納したテーブルデータを用意しておき、該テーブルデータを参照することによってαを決定するようにしても構わない。
【００７０】
また、最終的にδＲが算出できればよいので、Ｒａに応じたδＲの値（上記式（３）を満たす）を格納したテーブルデータを用意しておき、該データブルデータを参照することによって、αを意識することなく直接δＲを算出するようにしてもよい。
【００７１】
＜＜変形等＞＞
尚、図３における３つの信号補正値算出部２１Ｒ、２１Ｇ及び２１Ｂによって、１つの信号補正値算出部が形成されていると考えることもできる。減算器２４Ｒ、２４Ｇ及び２４Ｂは、それぞれ、赤用の補正映像信号作成部、緑用の補正映像信号作成部及び青用の補正映像信号作成部として機能する。３つの減算器２４Ｒ、２４Ｇ及び２４Ｂによって、１つの補正映像信号作成部が形成されていると考えることもできる。
【００７２】
また、合計３つの補正部を設ける例を上述したが、１つの補正部を時分割で用いて上記の迷光補正部１１と同様の機能を持たせることも可能である。例えば、信号補正値算出部２１Ｇ及び２１Ｂ並びに減算器２４Ｇ及び２４Ｂを削除し、信号補正値算出部２１Ｒ及び減算器２４Ｒにて迷光補正部を構成する。
【００７３】
そして、１つの入力映像信号が与えられたとき、信号補正値算出部２１Ｒ及び減算器２４Ｒから成る迷光補正部にて、Ｒｉｎ［ｍ］よりＲｏｕｔ［ｍ］を算出し、続いてＧｉｎ［ｍ］よりＧｏｕｔ［ｍ］を算出し、更に続いてＢｉｎ［ｍ］よりＢｏｕｔ［ｍ］を算出する。この場合、例えば、迷光補正部の前段及び後段に、入出力信号値を一時的に格納するバッファメモリ（不図示）を設けるようにするとよい。
【００７４】
また、上述の実施形態では、減算器２４Ｒを用いることによって入力値Ｒｉｎ［ｍ］から出力値Ｒｏｕｔ［ｍ］を算出するようにしているが、入力値Ｒｉｎ［ｍ］から “Ｒｉｎ［ｍ］−δＲ”に相当するＲｏｕｔ［ｍ］が最終的に算出されるのであれば、減算器２４Ｒを用いない構成を採用することも可能である。
【００７５】
例えば、図５に示す如く、平均信号値Ｒａに基づいて補正値ＬRを算出する。そして、Ｒｉｎ［ｍ］に補正値ＬRを乗じることによって “Ｒｉｎ［ｍ］−δＲ”に相当するＲｏｕｔ［ｍ］を算出されるように、迷光補正部を構成しても構わない。補正値ＬRは、１以下の正の値を有し、等式「Ｒｉｎ［ｍ］×ＬR＝Ｒｉｎ［ｍ］−δＲ」、を満たすように設定される。この場合、補正値（Ｒ信号補正値）ＬRに応じた値（Ｒｉｎ［ｍ］×（１−ＬR））を、入力値Ｒｉｎ［ｍ］から差し引くことによって、補正映像信号を形成する出力値Ｒｏｕｔ［ｍ］が算出されることになる。Ｇ信号及びＢ信号についても、同様の変形が可能である。
【００７６】
また、Ｒａ、Ｇａ及びＢａをスクリーン５の画面全体の平均信号値と定義し、上記（１）、（４）及び（５）に基づいて、Ｒａ、Ｇａ及びＢａを算出する例を示したが、それらは、必ずしも“画面全体”の平均信号値である必要はない。
【００７７】
例えば、スクリーン５の所定領域内の画素に対するＲｉｎ［ｍ］の平均値をＲａとして採用しても構わない。上記所定領域とは、例えば、スクリーン５の中央部に位置する１の領域、スクリーン５の各部に位置する複数の領域などである。極端な例として、上記所定領域は、スクリーン５の画面全体領域から画素Ｐ1のみを除いた領域であっても構わない。この場合、Ｒａは、（Ｒｉｎ［２］＋Ｒｉｎ［３］・・・＋Ｒｉｎ［Ｎ］）を、（Ｎ−１）で割った数となる。
【００７８】
また、上述の実施形態は、白黒の表示装置に対しても適用可能である。白黒の表示装置の場合、入力映像信号は、ＲＧＢ信号でなく、輝度信号のみによって構成されるので、信号補正値算出部と減算器との組は１組用意すれば足る。
【００７９】
上述の実施形態では、表示装置として背面投射型の表示装置を例示したが、上述の実施形態に記載した事項は、表示画面（スクリーン）の前方から映像を投射する前面投射型の表示装置に対しても適用可能である。
【産業上の利用可能性】
【００８０】
また、迷光は、プラズマディスプレイや有機ＥＬ（electro-luminescence）ディスプレイ等の自発光型ディスプレイ以外のディスプレイを用いた表示装置であれば、発生する。このため、本発明は、迷光が発生する表示装置に広く適用可能であり、特に、入力映像信号の信号レベルが増加するにつれて迷光が増加するような表示装置に好適である。
【図面の簡単な説明】
【００８１】
【図１】本発明の実施の形態に係る表示装置の概略構成図である。
【図２】図１の映像信号処理部の内部ブロック図である。
【図３】図２の迷光補正部の内部ブロック図である。
【図４】図１のスクリーンの画素構成を示す図である。
【図５】図２の迷光補正部の変形例を説明するための図である。
【図６】迷光発生の原因を説明するための図である。
【符号の説明】
【００８２】
１  表示装置
２  映像信号処理部
３  投射部
４  反射ミラー
５  スクリーン
６  光源
７  ライトバルブ
８  投射レンズ
１１  迷光補正部
２１Ｒ、２１Ｇ、２１Ｂ  信号補正値算出部
２２Ｒ、２２Ｇ、２２Ｂ  平均信号値算出部
２３Ｒ、２３Ｇ、２３Ｂ  補正値出力部
２４Ｒ、２４Ｇ、２４Ｂ  減算器
Ｐ1、Ｐ2、Ｐ3、・・・、ＰN-1、ＰN  画素
【図１】
2007235194.tif 000006
【図２】
2007235194.tif 000007
【図３】
2007235194.tif 000008
【図４】
2007235194.tif 000009
【図５】
2007235194.tif 000010
【図６】
2007235194.tif 000011